(57)【要約】【目的】像担持体１０の回転時に生じるすべりを防止し、像担持体１０を回転させるのに十分な駆動力の伝達をえることができる画像形成装置を提供する。【構成】円筒形状の像担持体１０と、駆動手段の駆動力を像担持体１０に伝達する駆動フランジ３０とを有し、像担持体１０の一方には取付フランジ１０ｂが設けられているとともに、像担持体１０の他方には駆動フランジ３０に取り付けられる装着部１０ａが設けられ、少なくとも一つの軸２０に取付フランジ１０ｂおよび駆動フランジ３０を軸通させて像担持体１０を支持し、像担持体１０の内部を介して、取付フランジ１０ｂと駆動フランジ３０とを連結する連結手段５０が備わっており、連結手段５０は、一方には、像担持体１０に形成されたリブ１０ｄを支持するリブ支持部材５０ｃが設けられているとともに、他方には、駆動フランジ３０に固定する取付部３０ｃが設けられ、像担持体１０を駆動フランジ３０と一体に回転させる。【選択図】　図２
2004126385.tif 000002
【特許請求の範囲】
【請求項１】
円筒形状の像担持体と、駆動手段の駆動力を前記像担持体に伝達する駆動フランジとを有し、
前記像担持体の一方には取付フランジが設けられているとともに、前記像担持体の他方には前記駆動フランジに取り付けられる装着部が設けられ、
少なくとも一つの軸に前記取付フランジおよび前記駆動フランジを軸通させて前記像担持体を支持し、
前記像担持体の内部を介して、前記取付フランジと前記駆動フランジとを連結する連結手段が備わっており、
前記連結手段は、一方には、前記取付フランジに形成されたリブを支持するリブ支持部材が設けられているとともに、他方には、前記駆動フランジに固定する取付部が設けられ、前記像担持体を前記駆動フランジと一体に回転させることを特徴とする画像形成装置。
【発明の詳細な説明】
【０００１】
【発明に属する技術分野】
本発明は、像担持体を装着して、像担持体を支持する画像形成装置に関するものであり、特には、駆動手段からの駆動力を正確に像担持体に伝達させて、像担持体に安定した回転をさせることができる画像形成装置に関する。
【０００２】
【従来の技術】
像担持体は、回転可能に軸支されるドラム本体と、駆動手段の駆動力をドラム本体に伝達するフランジとからなる。装置本体に装着する像担持体は、容易にドラム本体が着脱できるようにするため、種々の構成が提案されている。
【０００３】
例えば、ドラム本体を片持ち軸に装着する構成のものがある。（例えば、特許文献１参照）この構成は、装置の機枠に固定された支持軸と支持軸に回転自在に支承されるスピンドルとを有する。ドラム本体となる潜像ドラムを軸線方向にスライドさせ、このドラム本体をスピンドルに押圧し、潜像ドラムとスピンドルのテーパ支持面とを接触させる。スピンドルの一端に設けられたリングギヤーを介して、駆動装置の駆動力をドラム本体に伝達しドラム本体を回転させる。
【０００４】
【特許文献１】
特開昭５２−１４９１２５号公報　（第２−３頁、第１図、第２図）
【０００５】
【発明が解決しようとする課題】
上述した構成において、ジャム等の発生により駆動手段が急停止した場合、潜像ドラムはその慣性力で回り続けようとし、潜像ドラムとスピンドルのテーパ支持面との接触部ですべりが生じる。この結果、潜像ドラムとスピンドルのテーパ支持面の接触部位の表面が滑らかになり、さらにすべりが生じやすくなる。また、先に述べた状態で、駆動装置を作動させていると、スピンドルから潜像ドラムを回転させるのに十分な駆動力を得ることができない。
【０００６】
本発明は、上記問題を解決するため、像担持体の回転時に生じるすべりを防止し、像担持体を回転させるのに十分な駆動力の伝達をえることができる画像形成装置を提供する。
【０００７】
【課題を解決するための手段】
本発明は、上記問題を解決するために、円筒形状の像担持体と、駆動手段の駆動力を像担持体に伝達する駆動フランジとを有し、像担持体の一方には取付フランジが設けられているとともに、像担持体の他方には駆動フランジに取り付けられる装着部が設けられ、少なくとも一つの軸に取付フランジおよび駆動フランジを軸通させて像担持体を支持し、像担持体の内部を介して、取付フランジと駆動フランジとを連結する連結手段が備わっており、連結手段は、一方には、像担持体に形成されたリブを支持するリブ支持部材が設けられているとともに、他方には、駆動フランジに固定する取付部が設けられ、像担持体を前記駆動フランジと一体に回転させることを特徴とする。
【０００８】
【発明の実施の形態】
本発明の好適な実施の形態を図面に基づいて説明する。
図１に本発明の画像形成装置の概略断面図を示し、図２に画像形成装置の像担持体を示す概略上面図を示し、図３に矢印Ａから見た正面図、図４に図３の断面Ｂ−Ｂを示す。
【０００９】
図１に示すように、画像形成装置は、像担持体と、像担持体の表面を均一に帯電させる帯電装置１と、像担持体の表面に静電潜像を形成する露光装置２と、静電潜像をトナーによって現像する現像装置３と、図示しない搬送手段から搬送されているシート材にトナー像を転写する転写装置４と、像担持体表面に残留した電荷を除去するイレーサランプ５と、像担持体表面に残留したトナーを除去するクリーニング装置６とを有する。
【００１０】
これら装置は、像担持体を中心に、順次配置され、周知の帯電、露光、現像、転写の工程を経てトナー像を転写されたシート材は、定着装置７によって定着され、装置外部に排出される。なお、非磁性トナーを用いて、像担持体表面に弾性の現像ローラを接触させてトナーの現像と清掃工程を現像ローラで同時に行うクリーナレス現像方式を採用した装置においては、上記したクリーニング装置６を省略してもよい。
【００１１】
図２に示すように、本発明の画像形成装置は、筒状に形成された像担持体１０（以下、「感光ドラム」という）と、固定された内壁６０に支持された軸２０と、回転可能に設けた駆動フランジ３０と、感光ドラム１０を駆動フランジ３０に向かって押圧し且つ軸２０の先端側を固定する固定部材４０と、感光ドラム１０と駆動フランジ３０とを連結する連結手段５０とを有する。
【００１２】
感光ドラム１０は、円筒形状のアルミニウム等の金属ドラムが好適に使用され、感光ドラム１０の外周面には光半導体が形成されている。また、感光ドラム１０の一端側には、開口された駆動フランジ３０に取り付けられる装着部１０ａが設けられている。さらに、感光ドラム１０の他端側には取付フランジ１０ｂが圧入等により固定されている。　なお、取付フランジ１０ｂは感光ドラム１０に一体形成したものであってもよい。取付フランジ１０ｂの中心には、軸２０を通す挿通孔１０ｃが設けられ、また、挿通孔１０ｃを中心に、放射状にリブ１０ｄが複数形成されている。
【００１３】
駆動フランジ３０は図示しない駆動手段の駆動力を伝達するものであり、装着部１０ａを取り付けるテーパ部３０ａと軸２０を通す挿通孔３０ｂとを有する。さらに、テーパ部３０ａが形成された駆動フランジ３０の一端側には連結手段５０を取り付ける取付部３０ｃが設けられているとともに、駆動フランジ３０の他端側には駆動手段からの駆動を伝達するギア（図示せず）が設けられている。テーパ部３０ａは感光ドラム１０が装着される方向に向かって漸次直径が大きくなるように形成されている。
【００１４】
図３、４に示すように、連結手段５０は、支柱からなる連結部５０ａと、連結部５０ａの一方に設けられたフランジ部５０ｂと、連結部５０ａの一方に設けられた取付部３０ｃとからなる。具体的に、連結部５０ａの支柱は、板部材（５０ａ１、５０ａ２、５０ａ３）を組み合わせて形成された三角柱からなり、フランジ部５０ｂと取付部３０ｃとの各々取り付けられている。
【００１５】
連結部５０ａが取り付けられたフランジ部５０ｂの反対側には、リブ１０ｄを支持するリブ支持部材５０ｃが設けられている。リブ支持部材５０ｃは、ガタがない程度にリブ５０に嵌るように形成されている。なお、リブ５０に接触するリブ支持部材５０ｃ面にゴム等の弾性体を設けてガタのないように形成してもよい。また、図３において、リブ支持部材５０ｃは、一つしか設けられていないが、リブ１０ｄの数に応じて適宜に設けても良い。さらに、連結部５０ａが取り付けられた取付部３０ｃの反対側は、駆動フランジ３０にネジ等で取り付けられ固定されている。
【００１６】
以上の構成により、リブ１０ｄとリブ支持部材５０ｃを合わせるようにして、感光ドラム１０を駆動フランジ３０側にスライドさせる。この間、感光ドラム１０の装着部１０ａが駆動フランジ３０のテーパ部３０ａを沿って移動し、感光ドラム１０が駆動フランジ３０に装着されるまで、徐々に感光ドラム１０の中心が軸２０の中心に位置決めされていく。これに伴い、連結部５０ａは、感光ドラム１０内に徐々に進入する。
【００１７】
感光ドラム１０が駆動フランジ３０に装着されると、感光ドラム１０の中心が軸２０の中心に位置決めされるとともに、リブ１０ｄがリブ支持部材５０ｃに支持された状態で連結部５０ａが感光ドラム１０内に介在する。この後、固定部材４０により感光ドラム１０を駆動フランジ３０に向かって押圧する。
【００１８】
装置本体への感光ドラム１０の装着が完了し、図示しない駆動手段を作動させると、ギアを介して駆動力が駆動フランジ３０に伝達され、駆動フランジ３０が回転する。これに伴い感光ドラム１０が回転する。
【００１９】
この時、駆動フランジ３０からの回転の伝達は、感光ドラム１０の装着部１０ａと駆動フランジ３０のテーパ部３０ａとの接触部位のみではなく、駆動フランジ３０に固定されたフランジ部５０ｂ、連結部５０ａ、取付部３０ｃ、リブ支持部材５０ｃ、リブ１０ｄ、取付フランジ１０ｂ部と経由される。この結果、駆動フランジと連結手段である連結部が一体となって回転し、駆動手段からの駆動力を感光ドラム１０に確実に伝達される。
【００２０】
【発明の効果】
このように、駆動フランジと感光ドラムとを連結手段により連結する構成により、駆動フランジと連結手段である連結部が一体となって回転し、駆動手段からの駆動力を感光ドラムに確実に伝達することができる。
【図面の簡単な説明】
【図１】本発明の画像形成装置の概略断面図である。
【図２】画像形成装置の像担持体を示す概略上面図である。
【図３】図３のＡ−Ａ断面図である。
【図４】図３のＢ−Ｂ断面図である。
【符号の説明】
１０　像担持体（感光ドラム）
２０　軸
３０　駆動フランジ
４０　固定部材
５０　連結手段
【図１】
2004126385.tif 000003
【図２】
2004126385.tif 000004
【図３】
2004126385.tif 000005
【図４】
2004126385.tif 000006
【手続補正書】
【提出日】平成15年4月30日(2003.4.30)
【手続補正１】
【補正対象書類名】明細書
【補正対象項目名】特許請求の範囲
【補正方法】変更
【補正の内容】
【特許請求の範囲】
【請求項１】
円筒形状の像担持体と、駆動手段の駆動力を前記像担持体に伝達する駆動フランジとを有し、
前記像担持体の一方には取付フランジが設けられているとともに、前記像担持体の他方には前記駆動フランジに取り付けられる装着部が設けられ、
軸に前記取付フランジおよび前記駆動フランジを軸通させて前記像担持体を支持し、
前記像担持体の内部を介して、前記取付フランジと前記駆動フランジとを連結する連結手段が備わっており、
前記連結手段は、一方には、前記取付フランジに形成されたリブを支持するリブ支持部材が設けられているとともに、他方には、前記駆動フランジに固定する取付部が設けられ、前記像担持体を前記駆動フランジと一体に回転させることを特徴とする画像形成装置。
【手続補正２】
【補正対象書類名】明細書
【補正対象項目名】０００７
【補正方法】変更
【補正の内容】
【０００７】
【課題を解決するための手段】
本発明は、上記問題を解決するために、円筒形状の像担持体と、駆動手段の駆動力を像担持体に伝達する駆動フランジとを有し、像担持体の一方には取付フランジが設けられているとともに、像担持体の他方には駆動フランジに取り付けられる装着部が設けられ、軸に取付フランジおよび駆動フランジを軸通させて像担持体を支持し、像担持体の内部を介して、取付フランジと駆動フランジとを連結する連結手段が備わっており、連結手段は、一方には、像担持体に形成されたリブを支持するリブ支持部材が設けられているとともに、他方には、駆動フランジに固定する取付部が設けられ、像担持体を前記駆動フランジと一体に回転させることを特徴とする。


【手続補正３】
【補正対象書類名】明細書
【補正対象項目名】０００８
【補正方法】変更
【補正の内容】
【０００８】
【発明の実施の形態】
本発明の好適な実施の形態を図面に基づいて説明する。
図１に本発明の画像形成装置の概略断面図を示し、図２に画像形成装置の像担持体を示す概略上面図を示し、図２に矢印Ａから見た正面図、図４に図２の断面Ｂ−Ｂを示す。
【手続補正４】
【補正対象書類名】明細書
【補正対象項目名】図面の簡単な説明
【補正方法】変更
【補正の内容】
【図面の簡単な説明】
【図１】本発明の画像形成装置の概略断面図である。
【図２】画像形成装置の像担持体を示す概略上面図である。
【図３】図２の矢印Ａから見た正面図である。
【図４】図２のＢ−Ｂ断面図である。
【手続補正５】
【補正対象書類名】図面
【補正対象項目名】図２
【補正方法】変更
【補正の内容】
【図２】
2004126385.tif 000007